(57)【要約】【課題】荷収納区画の左右両隔壁枠２の内側に荷出し入れ方向に長い左右一対の荷受け部材３が水平に架設された荷保管用ラックの荷支持装置に免震構造を採用して耐震性を高める。【解決手段】荷収納区画の左右両隔壁枠２の内側に左右一対の支持部材１０が架設され、これら両支持部材１０に荷受け部材３がそれぞれ荷収納区画の前後奥行き方向（Ｘ方向）に一定範囲内で前後移動自在に支持された荷保管用ラックの荷支持装置であって、荷受け部材３と支持部材１０との間には、荷受け部材３をその前後移動領域内の定位置に付勢保持するガスダンパー２５が介装され、荷受け部材３は、前記ガスダンパー２５の付勢力に抗して少なくとも前記定位置から前方に移動可能に構成し、当該ガスダンパー２５は、平面視において、前記隔壁枠２を構成する前後一対の支柱材４ａ，４ｂ間に前後向きに配置された構成。【選択図】図２
2008050127.tif 000002
【特許請求の範囲】
【請求項１】
荷収納区画の左右両隔壁枠の内側に左右一対の支持部材が架設され、これら両支持部材に荷受け部材がそれぞれ荷収納区画の前後奥行き方向に一定範囲内で前後移動自在に支持された荷保管用ラックの荷支持装置であって、荷受け部材と支持部材との間には、荷受け部材をその前後移動領域内の定位置に付勢保持するガスダンパーが介装され、荷受け部材は、前記ガスダンパーの付勢力に抗して少なくとも前記定位置から前方に移動可能に構成し、当該ガスダンパーは、平面視において、前記隔壁枠を構成する前後一対の支柱材間に前後向きに配置されている、荷保管用ラックの荷支持装置。
【請求項２】
荷受け部材は下側開放の門形材から成り、支持部材は、平面視において荷受け部材と重なる位置に配置され、当該支持部材の上には、荷受け部材の内側に入り込んで当該荷受け部材の天板部を前後方向移動自在に支持する支持具が支持部材長さ方向複数箇所に配設されると共に、支持部材に対する荷受け部材の移動領域規制手段が設けられ、荷受け部材の隔壁枠に隣接する側には、支持部材横位置まで垂下する柱状体が取り付けられ、ガスダンパーは、支持部材の真横位置で、荷受け部材側の前記柱状体と支持部材との間に介装されている、請求項１に記載の荷保管用ラックの荷支持装置。
【請求項３】
前記各支持具は、支持部材上に取り付けられた軸受部材とこれに軸支された水平軸ローラーとから成り、荷受け部材の天板部には、前記水平軸ローラーが当接する帯状レール板が付設されている、請求項２に記載の荷保管用ラックの荷支持装置。
【請求項４】
支持部材上には、荷受け部材の左右両側板部に隣接する左右一対の垂直軸ローラーを備え且つ荷受け部材の内側に嵌まり込む振れ止め用ローラーユニットが、支持部材長さ方向の複数箇所に配設されている、請求項３に記載の荷保管用ラックの荷支持装置。
【請求項５】
前記各支持具は、荷受け部材の天板部と平行な平坦支持面と、荷受け部材の左右両側板部に隣接する平坦側面とを有するブロック材から成る、請求項２に記載の荷保管用ラックの荷支持装置。
【請求項６】
前記移動領域規制手段は、荷受け部材の左右両側板部に荷受け部材長さ方向に沿って設けられた長孔と、この長孔を貫通する水平軸と、この水平軸の両端を荷受け部材の左右両外側で支持し且つ支持部材に取り付けられた軸受部材とから成る、請求項１〜５の何れか１項に記載の荷保管用ラックの荷支持装置。
【請求項７】
荷収納区画の左右両隔壁枠を構成する前後一対の支柱材は、互いに対向する内側が開放した横断面形状のものであって、前記支持部材は、前後両支柱材の側壁板部に取り付けられたアーム材に長さ方向両端部が支持されている、請求項１〜６の何れか１項に記載の荷保管用ラックの荷支持装置。
【発明の詳細な説明】
【技術分野】
【０００１】
本発明は、荷収納区画の左右両隔壁枠の内側に、当該荷収納区画の前後奥行き方向に長い左右一対の荷受け部材が水平に架設された荷保管用ラックの荷支持装置に関するものである。
【背景技術】
【０００２】
この種の荷保管用ラックにおいて、地震時にラックが荷収納区画の前後奥行き方向（荷出し入れ方向）に揺れることによって、保管中の荷が当該ラックの通路側（ラックに沿って設けられた入出庫用クレーンの走行通路のある側）へ荷受け部材上を滑動して落下する事故が発生している。このような事故を未然に防止する一つの手段として、各荷収納区画が備える左右一対の荷受け部材を免震構造とすることが考えられている。例えば特許文献１に記載されるように、この種の荷保管用ラックの荷支持装置における免震構造は、荷収納区画の左右両隔壁枠から連設された支持部材に対して各荷受け部材をその長さ方向（荷収納区画の前後奥行き方向）にスライド可能に支持し、荷受け部材をスライド可能領域内の定位置に付勢保持する付勢手段を設けるものであった。
【特許文献１】特許第３７２９３１６号公報（特開２０００−２２６１１１号公報）
【発明の開示】
【発明が解決しようとする課題】
【０００３】
特許文献１に記載された従来の構成における免震構造では、コイルバネから成る付勢手段を使用するものであったため、ラック（支持部材）に対する荷（荷受け部材）の揺れを速やかに減衰させる効果に乏しく、実用的ではなかった。
【課題を解決するための手段】
【０００４】
本発明は上記のような従来の問題点を解消し得る荷保管用ラックの荷支持装置を提供することを目的とするものであって、請求項１に記載の荷保管用ラックの荷支持装置は、荷収納区画１の左右両隔壁枠２の内側に左右一対の支持部材１０が架設され、これら両支持部材１０に荷受け部材３がそれぞれ荷収納区画１の前後奥行き方向（Ｘ方向）に一定範囲内で前後移動自在に支持された荷保管用ラックの荷支持装置であって、荷受け部材３と支持部材１０との間には、荷受け部材３をその前後移動領域内の定位置に付勢保持するガスダンパー２５が介装され、荷受け部材３は、前記ガスダンパー２５の付勢力に抗して少なくとも前記定位置から前方に移動可能に構成し、当該ガスダンパー２５は、平面視において、前記隔壁枠２を構成する前後一対の支柱材４ａ，４ｂ間に前後向きに配置された構成となっている。
【０００５】
上記構成の本発明を実施するについて、具体的には請求項２に記載のように、荷受け部材３は下側開放の門形材から構成し、支持部材１０は、平面視において荷受け部材３と重なる位置に配置し、当該支持部材１０の上には、荷受け部材３の内側に入り込んで当該荷受け部材３の天板部３ａを前後方向移動自在に支持する支持具１１ａ〜１１ｄを支持部材長さ方向複数箇所に配設すると共に、支持部材１０に対する荷受け部材３の移動領域規制手段１３を設け、荷受け部材３の隔壁枠２に隣接する側には、支持部材１０の横位置まで垂下する柱状体２９を取り付け、ガスダンパー２５は、支持部材１０の真横位置で、荷受け部材３側の前記柱状体２９と支持部材１０との間に介装することができる。
【０００６】
又、請求項３に記載のように、前記各支持具１１ａ〜１１ｄは、支持部材１０上に取り付けられた軸受部材１５とこれに軸支された水平軸ローラー１７ａ，１７ｂとから構成し、荷受け部材３の天板部３ａには、前記水平軸ローラー１７ａ，１７ｂが当接する帯状レール板１８ａ，１８ｂを付設することができる。この場合、請求項４に記載のように、支持部材１０上には、荷受け部材３の左右両側板部３ｂ，３ｃに隣接する左右一対の垂直軸ローラー１９ａ，１９ｂを備え且つ荷受け部材３の内側に嵌まり込む振れ止め用ローラーユニット１２ａ，１２ｂを、支持部材長さ方向の複数箇所に配設することができる。
【０００７】
支持具としては、請求項５に記載のように、荷受け部材３の天板部３ａと平行な平坦支持面３６と、荷受け部材３の左右両側板部３ｂ，３ｃに隣接する平坦側面３７ａ，３７ｂとを有するブロック材３８から構成することもできる。
【０００８】
又、請求項６に記載のように、前記移動領域規制手段１３は、荷受け部材３の左右両側板部３ｂ，３ｃに荷受け部材長さ方向に沿って設けられた長孔２１ａ，２１ｂと、この長孔２１ａ，２１ｂを貫通する水平軸２２と、この水平軸２２の両端を荷受け部材３の左右両外側で支持し且つ支持部材１０に取り付けられた軸受部材２３とから構成することができる。
【０００９】
更に、請求項７に記載のように、荷収納区画１の左右両隔壁枠２を構成する前後一対の支柱材４ａ，４ｂは、互いに対向する内側が開放した横断面形状のものとし、前記支持部材１０は、前後両支柱材４ａ，４ｂの側壁板部４ｃに取り付けられたアーム材７ａ，７ｂに長さ方向両端部を支持させることができる。
【発明の効果】
【００１０】
本発明に係る荷保管用ラックの荷支持装置によれば、ラックが地震発生時に荷収納区画の前後奥行き方向（荷受け部材の長さ方向）に揺れ動いたとき、ラックと一体に前後に揺れ動く支持部材と荷を支持している荷受け部材との間に前後方向の相対移動が生じ、荷を支持している荷受け部材がラックと一体に同一速度、同一振幅で前後方向に揺れ動くことがなくなる。例えば、支持部材に対して荷受け部材がその前後移動領域の後端位置にガスダンパーの付勢力で付勢保持されている場合、ラック（支持部材）が前方（荷収納区画が開放している通路側）に揺動するときは、荷受け部材は支持部材と一体に前方に揺動するが、ラック（支持部材）が後方に揺動するときは、荷を搭載している荷受け部材は慣性によりその位置で留まろうとするので、支持部材から見て荷受け部材は、ガスダンパーの付勢力に抗して相対的に前方に移動することになる。換言すれば、支持部材上に荷受け部材が固定されているときのように、ラック（支持部材）が後方に揺動するときに荷受け部材上の荷が慣性で当該荷受け部材上を前方に滑動することがなくなり、荷受け部材そのものが搭載している荷と一体に支持部材に対し相対的に前方に移動することになるので、荷受け部材に対して荷が前方に滑動することがなくなる。そして、ラック（支持部材）が後方に揺動し始めた後、荷を搭載している荷受け部材に作用している前方への慣性力よりもガスダンパーの付勢力が勝ったとき、荷を搭載している荷受け部材がガスダンパーの付勢力で支持部材上を後方に追従移動し、元の後退限位置に復帰する。
【００１１】
上記作用の繰り返しにより、ラックが地震発生時に荷収納区画の前後奥行き方向（荷受け部材の長さ方向）に揺れ動いたときに、荷受け部材及び当該荷受け部材上の荷が一体に前方に揺れ動くことにより、慣性で荷が荷受け部材上を通路側へ滑動し、場合によっては通路側へ落下してしまう恐れがなくなり、所期の免震効果が得られる。勿論、支持部材と荷受け部材との間の前後方向の相対移動後は、ガスダンパーの付勢力が荷受け部材を原点位置（後退限位置）に自動復帰させるので、荷受け部材上で荷が滑動しない限り荷の位置が前後方向に不測に変動することはなく、安全に荷を継続保管することができる。
【００１２】
而して、上記請求項１に記載の本発明の構成によれば、支持部材に対して前後方向に移動自在に支持された荷受け部材を前後移動領域内の定位置、例えば前後移動領域の後端位置に付勢保持する付勢手段として、ガスダンパーを利用する構成であるから、コイルバネを利用する従来の構成と比較して、ラック（支持部材）に対する荷（荷受け部材）の揺れを速やかに減衰させる効果が期待でき、安全性の高い荷支持装置として実用に供することができる。しかも本発明の構成によれば、長尺で占有空間が大きくなるガスダンパーを利用しながら、当該ガスダンパーを、平面視において、荷受け部材に隣接するラックの隔壁枠の前後両支柱材の間に前後向きに配置したので、ガスダンパーを利用するために、隔壁枠間の間隔や荷受け部材の上下間隔（荷収納区画の高さ）を大きくする必要はなく、ラックの収納効率を低下させることがない。勿論、荷収納区画に対する荷の出し入れ作業時に誤ってガスダンパーに荷や移載装置を衝突させてガスダンパーを破損させるような恐れもなく、ガスダンパーを意識せずに荷の出し入れ作業を安全に行える。
【００１３】
尚、請求項２に記載の構成によれば、荷受け部材、支持部材、及びガスダンパーを含む支持装置全体をコンパクトに構成することができる。この場合、請求項３に記載の構成によれば、荷受け部材そのものは比較的薄板材で軽量に構成しながら、支持部材に対する荷受け部材の前後移動を円滑に行わせることができ、ガスダンパーの機能を十分に発揮させることができる。更に、請求項４に記載の構成によれば、支持部材に対して前後移動する荷受け部材が左右横方向に振れることがなくなり、支持部材に対する荷受け部材の前後移動を一層円滑に行わせることができる。勿論、荷受け部材を支持する支持具としては、水平軸ローラーを使用するものに限定されず、請求項５に記載のように構成するときは、高価で耐久性の低い水平軸ローラーを使用しないので済むと共に、荷受け部材の左右横方向の振れ止めのローラーユニットも不要になるので、大幅なコストダウンを図ることができる。
【００１４】
又、請求項６に記載の構成によれば、支持部材に対する荷受け部材の前後移動領域を所定範囲内に規制できるだけでなく、支持部材に対して荷受け部材が浮き上がるような不都合も回避でき、安全性を一層高めることができる。
【００１５】
更に、請求項７に記載の構成によれば、ラックの隔壁枠を構成する支柱材の側壁板部の左右横方向の弾性変形を利用して、地震発生時のラックの左右横方向の揺れに対し、支持部材と共に荷を搭載した荷受け部材をラックに対して左右横方向に相対移動させることができるので、免震効果をより一層高めることができる。
【発明を実施するための最良の形態】
【００１６】
図１は本発明の荷支持装置が適用できるラックの基本的な構成を示しており、１は上下左右両方向に碁盤目状に配置された荷収納区画であって、左右横方向に隣接する荷収納区画１間には垂直に隔壁枠２が立設され、上下に隣接する荷収納区画１は、左右一対の荷受け部材３によって区切られている。
【００１７】
各隔壁枠２は、前後一対の支柱材４ａ，４ｂを連結部材５によって互いに連結したラチス構造のものであって、荷収納区画１の背面側では、各隔壁枠２の後側支柱材４ｂが水平や斜めの連結部材６で連結され、荷収納区画１の正面側、即ち、荷収納区画１に対して荷の出し入れを行う入出庫用クレーンの走行通路側では、荷収納区画１に対する荷の出し入れに邪魔にならないレベルで水平連結材（図示省略）で各隔壁枠２の前側支柱材４ａどうしが連結されることが知られている。左右一対の荷受け部材３は、荷収納区画１に対する荷の出し入れ方向、即ち、荷収納区画１の前後奥行き方向（Ｘ方向）に長い棒状のもので、その前後両端部が、外側に隣接する隔壁枠２の前後両支柱材４ａ，４ｂに支持される。
【００１８】
以下、本発明の第一実施形態を具体的に説明すると、図２〜図４に示すように、隔壁枠２の前後両支柱材４ａ，４ｂは、互いに対向する内側が開放する横断面形状のもので、荷受け部材３の前後両端部を支持する高さに対応して、横向きに突出するアーム材７ａ，７ｂを固着した取付部材８が、図３Ｂに示すように、支柱材４ａ，４ｂの横向きに突出する横断面角形の側壁板部４ｃに外嵌する状態でピン９により係止されている。而して、前後一対のアーム材７ａ，７ｂ間には、荷受け部材３の真下に重なる位置で当該荷受け部材３と平行に位置する支持部材１０の前後両端部が取り付けられている。
【００１９】
詳細構造を図２〜図６に基づいて説明すると、支持部材１０は、詳細が図５に示されるように、天板部１０ａとこの天板部１０ａの隔壁枠２に隣接しない側である外側辺から垂下する外側垂直板部１０ｂとを有する倒立Ｌ形断面のもので、天板部１０ａの前後両端が前記アーム材７ａ，７ｂの上に載置され、ボルトナット１０ｃで取り付けられている。荷受け部材３は、詳細が図５に示されるように、下側開放の門形材から成り、天板部３ａと、当該天板部３ａの左右両側辺から垂下する左右両側板部３ｂ，３ｃとを有し、支持部材１０と殆ど同一巾のものである。
【００２０】
図２〜図４に示すように、支持部材１０の天板部１０ａの上側には、その長さ方向に４つの支持具１１ａ〜１１ｄと２つの振れ止め用ローラーユニット１２ａ，１２ｂとが設けられている。支持具１１ａ，１１ｂは、支持部材天板部１０ａの前後両端位置に配置され、支持具１１ｃは、前後両端の支持具１１ａ，１１ｂ間の中央位置より後端側の支持具１１ｂに十分に近い位置に配置され、支持具１１ｄは、前端側支持具１１ａと後端寄り支持具１１ｃとの間の中央位置に配置され、振れ止め用ローラーユニット１２ａ，１２ｂは、前端側支持具１１ａと後端寄り支持具１１ｃの中間支持具１１ｄ側に隣接する位置に配置されている。又、荷受け部材３と支持部材１０との間には、中間支持具１１ｄと後端寄り支持具１１ｃとの間の位置において、支持部材１０に対する荷受け部材３の前後移動領域の長さを規制する移動領域規制手段１３が設けられている。
【００２１】
各支持具１１ａ〜１１ｄは同一構造のものであって、詳細が図６に示されるように、支持部材１０の天板部１０ａ上に前後２本のボルトナット１４で取り付けられて左右一対の軸受板部１５ａ，１５ｂを有するＵ字形の軸受部材１５と、この軸受部材１５の左右一対の軸受板部１５ａ，１５ｂの外側にそれぞれ水平支軸１６ａ，１６ｂで同心状に片持ち軸支された左右一対の水平軸ローラー１７ａ，１７ｂとから構成されたもので、荷受け部材３の内側に嵌まり込む状態で、左右一対の水平軸ローラー１７ａ，１７ｂにより荷受け部材３の天板部３ａを前後移動自在に支持する。尚、荷受け部材天板部３ａには、左右一対の水平軸ローラー１７ａ，１７ｂが当接する箇所に２本の帯状レール板１８ａ，１８ｂが敷設されている。尚、左右一対の水平軸ローラー１７ａ，１７ｂに代えて１つの巾広水平軸ローラーを使用しても良いし、２本の帯状レール板１８ａ，１８ｂに代えて１本の巾広帯状レール板を使用しても良い。勿論、荷受け部材３そのものを厚板材から構成して、帯状レール板を省くこともできる。
【００２２】
振れ止め用ローラーユニット１２ａ，１２ｂは同一構造のものであって、詳細が図７に示されるように、支持部材１０の天板部１０ａ上に２つの垂直軸ローラー１９ａ，１９ｂをそれぞれローラー支軸兼用のボルトナット２０ａ，２０ｂにより立設したもので、両垂直軸ローラー１９ａ，１９ｂが荷受け部材３の左右両側板部３ｂ，３ｃの内側面に隣接するように荷受け部材３の内側に嵌まり込んでいる。
【００２３】
移動領域規制手段１３は、図２〜図４及び図８に示すように、荷受け部材３の左右両側板部３ｂ，３ｃにその長さ方向に沿って設けられた左右一対の長孔２１ａ，２１ｂと、この両長孔２１ａ，２１ｂを左右横方向に貫通する１本のボルトナット利用の水平軸２２と、この水平軸２２の両端を支持する左右一対の軸受板２３ａ，２３ｂを荷受け部材３の外側に備え且つ支持部材１０の天板部１０ａ上に２本のボルトナット２４で取り付けられたＵ字形の軸受部材２３とから構成され、図２及び図３に示すように、荷受け部材３の全長が支持部材１０と重なる定位置（ホームポジション）にあるとき、水平軸２２が長孔２１ａ，２１ｂの前端に隣接しているように構成している。従って、荷受け部材３は、前記定位置から前方で長孔２１ａ，２１ｂの長さの範囲内でのみ前後移動できる状態に支持されている。
【００２４】
荷受け部材３と支持部材１０との間には、荷受け部材３を前記定位置に付勢保持するガスダンパー２５が介装されている。このガスダンパー２５はガススプリングとも呼称されるもので、シリンダー本体２５ａと、このシリンダー本体２５ａの一端から延出されたピストンロッド２５ｂとを有し、一定以上の外力がピストンロッド２５ｂを退入させる方向に作用したときにシリンダー本体２５ａに対するピストンロッド２５ｂの退入運動を許容し、当該外力が作用しなくなったとき又は小さくなったときに内蔵のスプリング力でピストンロッド２５ｂを伸長運動させるものであるが、このピストンロッド２５ｂの伸縮運動の速度を内蔵のガス圧により規制するものである。
【００２５】
上記のガスダンパー２５は、支持部材１０の隔壁枠２側の真横位置に前後向き、即ち、支持部材１０と平行な向きに配置されており、シリンダー本体２５ａの遊端部は、図９に詳細が示されるように、支持部材１０の天板部１０ａの内側辺（外側垂直板部１０ｂのある側とは反対側）から下向きに連設された内側垂直板片１０ｄの外側にボルトナット２６で取り付けられたガスダンパー取付部材２７に垂直支軸２８により軸支され、ピストンロッド２５ｂの遊端部は、図１０に詳細が示されるように、荷受け部材３の内側の側板部３ｂに上端部が固着されて支持部材１０の真横位置まで垂下する溝形材利用の柱状体２９にボルトナット３０で取り付けられたガスダンパー取付部材３１に垂直支軸３２により軸支されている。尚、シリンダー本体２５ａの遊端部を取り付けるガスダンパー取付部材２７は、ボルトナット２６の弛緩により若干前後方向に取付位置を調整できる構造であって、取付位置調整後のガスダンパー取付部材２７が当該ガスダンパー２５に圧縮方向に作用する外力で前方に位置ずれを起こさないように、支持部材１０側の前記内側垂直板片１０ｄには、ガスダンパー取付部材２７を受け止める調整ボルトナット３３がアングル材３４を介して取り付けられている。
【００２６】
上記構成によれば、荷受け部材３はガスダンパー２５の付勢力により後方に押圧され、移動領域規制手段１３の長孔２１ａ，２１ｂの前端と水平軸２２との当接により規制される後退限位置、即ち、定位置に保持されているが、このガスダンパー２５による後方への付勢力に打ち勝つ前方向きの外力が荷受け部材３に作用したときには、図４に示すように、当該荷受け部材３は支持部材１０上を前方に滑動することができる。そして当該荷受け部材３に作用する前方向きの外力が消滅したとき又は、前記ガスダンパー２５による後方への付勢力よりも前方向きの外力が小さくなったとき、荷受け部材３は支持部材１０上を後方に滑動し、元の定位置に自動復帰する。この荷受け部材３の支持部材１０上での前後移動は、振れ止め用ローラーユニット１２ａ，１２ｂで左右横方向の横動を阻止されている状態で、各支持具１１ａ〜１１ｄの水平軸ローラー１７ａ，１７ｂ上での帯状レール板１８ａ，１８ｂの相対転動を伴って軽く円滑に行われる。
【００２７】
従って、地震などによりラックが荷収納区画１の前後奥行き方向（Ｘ方向）に揺れ動いたとき、荷を支持している荷受け部材３に対してラックと一体の支持部材１０が同方向に揺動するが、荷を支持している荷受け部材３と支持部材１０との間で前後方向の相対移動が生じ、荷受け部材３に対し当該荷受け部材３上に搭載されている荷が慣性により前方に滑動しなくなるか又は滑動距離が短くなり、荷が荷受け部材３上から前方の通路側（荷収納区画１の開放している側）に落下するなどの危険な事態を回避できるという所期の免震効果が得られる。尚、支持部材１０に対して前方に滑動した荷受け部材３がガスダンパー２５の付勢力で元の定位置に復帰して、移動領域規制手段１３の長孔２１ａ，２１ｂの前端と水平軸２２との当接により制止されたとき、荷が慣性で荷受け部材３上を後方に滑動することは考えられるが、付勢手段がガスダンパー２５であるから、荷受け部材３の後方への復帰移動時の速度が調整され、荷受け部材３が定位置で制止されたときのショックは殆どない。従って、荷受け部材３上で荷が勢い良く後方に滑動することは考えられず、仮に多少の後方への滑動があったとしても、最初に説明したように、荷収納区画１の後側、即ち、通路側とは反対側は、ラチス構造の連結部材６や壁板材、或いはラックの設置位置によっては建物の壁などにより閉じられた状態（少なくとも荷が荷収納区画１内から後方には飛び出すことができない状態）が普通であるから、実用上は支障がない。
【００２８】
又、上記実施形態では、支持部材１０の前後両端部をアーム材７ａ，７ｂと取付部材８とを介して支持している隔壁枠２の前後一対の支柱材４ａ，４ｂは、横断面形状が開放断面のものであって、図３Ｂに示すように、取付部材８を取り付けている支柱材４ａ，４ｂの横向きに突出する横断面角形の側壁板部４ｃが内外水平方向に弾性変形できるものであるから、この支柱材４ａ，４ｂの横断面角形の側壁板部４ｃの内外水平方向の弾性変形を伴う方向であれば、支持部材１０と隔壁枠２との間の水平方向の相対移動がある程度許容されている。従って、地震などによるラック（隔壁枠２）の揺れ方向によっては、支持部材１０と荷受け部材３との間の水平前後方向の相対移動に加えて、支持部材１０と隔壁枠２との間の左右水平方向の相対移動が、荷受け部材３で支持されている荷に対する免震効果を高めることにもなる。
【００２９】
尚、上記実施形態の支持具１１ａ〜１１ｄの配列によれば、図２及び図３に示すように、荷受け部材３が前後移動領域の後端位置である定位置に保持されている平常時は、その前後両端部と中間２箇所の計４箇所が支持具１１ａ〜１１ｄで支持されており、荷受け部材３の前後両端に近い位置に重心が偏っているような荷であっても安全に支持することができ、当該荷受け部材３が図４に示すように前方に移動して、後端支持具１１ｂから荷受け部材３が前方に外れるような状態になっても、当該荷受け部材３の後端部は、後端寄り支持具１１ｃで支持されるので、例えば定位置にある荷受け部材の前後両端位置と中間１箇所の計３箇所で支持具により支持させるときと比較して、単に１つの後端寄り支持具１１ｃを追加するだけで、荷受け部材３が前方に移動したときの安定性は格段に改善される。
【００３０】
図１１及び図１２は、荷受け部材３と支持部材１０との間に設けられる支持具の別の実施形態を示している。この実施形態における支持具３５ａ〜３５ｃは、定位置にある荷受け部材３の前端位置と、後端寄り少し前方寄りの位置と、両位置の中間位置の計３箇所で支持部材１０の天板部１０ａ上に配置されたもので、各支持具３５ａ〜３５ｃは、荷受け部材３の天板部３ａと平行な平坦支持面３６と、荷受け部材３の左右両側板部３ｂ，３ｃに隣接する平坦側面３７ａ，３７ｂとを有するブロック材３８で構成されたもので、この図示例では、左右一対のブロック片３８ａ，３８ｂに分けて構成しているが、荷受け部材３の左右両側板部３ｂ，３ｃ間の内巾より若干小さい巾の１つの巾広ブロック材から構成することもできる。このブロック材３８（各ブロック片３８ａ，３８ｂ）は、複数本のボルトナット３９で支持部材１０の天板部１０ａ上に取り付けられ、硬質合成樹脂などの摩擦抵抗の少ない材質から成るものが好適である。このような構成の支持具３５ａ〜３５ｃであれば、平坦支持面３６の長さを適当に長くすることにより、図示のように３箇所に配置するだけでも、荷受け部材３を常に安定的に支持し得ると共に、荷受け部材３の左右横方向の振れ止めを兼ねさせることができる。
【００３１】
尚、図１１では、移動領域規制手段１３を荷受け部材３の長さ方向の前後２箇所に配置しているが、勿論、先の実施形態のように、荷受け部材の長さ方向の１箇所に構成することができる。
【図面の簡単な説明】
【００３２】
【図１】Ａ図は荷保管用ラックの基本構成を説明する要部の横断平面図、Ｂ図は同要部の正面図である。
【図２】本発明の一実施形態に係る荷支持装置を示す一部横断平面図である。
【図３】Ａ図は荷支持装置の片側を示す縦断側面図、Ｂ図は支持部材一端の取付構造を示す拡大平面図である。
【図４】荷受け部材が前方に移動した状態の荷支持装置の片側を隔壁枠側から見た側面図である。
【図５】荷支持装置の片側を示す正面側の端面図である。
【図６】荷支持装置の片側の支持具位置での縦断端面図である。
【図７】荷支持装置の片側の振れ止め用ローラーユニット位置での縦断端面図である。
【図８】荷支持装置の片側の移動領域規制手段位置での縦断端面図である。
【図９】荷支持装置の片側のガスダンパーのシリンダー本体取付位置での縦断端面図である。
【図１０】荷支持装置の片側のガスダンパーのピストンロッド取付位置での縦断端面図である。
【図１１】別の実施形態に係る荷支持装置の片側の側面図である。
【図１２】図１１の要部の拡大縦断面図である。
【符号の説明】
【００３３】
１    荷収納区画
２    隔壁枠
３    荷受け部材
３ａ，１０ａ    天板部
３ｂ，３ｃ    左右両側板部
４ａ，４ｂ    支柱材
７ａ，７ｂ    アーム材
８    取付部材
１０    支持部材
１０ｂ    外側垂直板部
１０ｄ    内側垂直板片
１１ａ〜１１ｄ，３５ａ〜３５ｃ    支持具
１２ａ，１２ｂ    振れ止め用ローラーユニット
１３    移動領域規制手段
１５    軸受部材
１７ａ，１７ｂ    水平軸ローラー
１８ａ，１８ｂ    帯状レール板
１９ａ，１９ｂ    垂直軸ローラー
２１ａ，２１ｂ    長孔
２２    水平軸
２５    ガスダンパー
２７，３１    ガスダンパー取付部材
２９    柱状体
３６    平坦支持面
３７ａ，３７ｂ    平坦側面
３８    ブロック材
３８ａ，３８ｂ    ブロック片
【図１】
2008050127.tif 000003
【図２】
2008050127.tif 000004
【図３】
2008050127.tif 000005
【図４】
2008050127.tif 000006
【図５】
2008050127.tif 000007
【図６】
2008050127.tif 000008
【図７】
2008050127.tif 000009
【図８】
2008050127.tif 000010
【図９】
2008050127.tif 000011
【図１０】
2008050127.tif 000012
【図１１】
2008050127.tif 000013
【図１２】
2008050127.tif 000014